(57)【特許請求の範囲】
【請求項１】
互いに対向する第１の基板と第２の基板とを有する電気光学パネルを含み、該電気光学パネルにフレキシブル配線基板が接続された、電気光学装置の製造方法であって、
前記第１の基板は、前記第２の基板に対して重ならない第１の配線接合領域を有し、
前記第２の基板は、前記第１の基板に対して重ならない第２の配線接合領域を有し、
前記フレキシブル配線基板は、第１のフレキシブル配線基板と第２のフレキシブル配線基板とを有し、
前記第１のフレキシブル配線基板は、第１の配線と第１の出力側端子領域とを有し、
前記第２のフレキシブル配線基板は、第２の配線と第２の出力側端子領域とを有し、
前記第１の配線接合領域と接続される側の、前記第１のフレキシブル配線基板の端部の幅は、前記第２の配線接合領域と接続される側の、前記第２のフレキシブル配線基板の端部の幅より長い、電気光学装置の製造方法であって、
以下の工程（ａ）〜（ｃ）を含む、電気光学装置の製造方法。
（ａ）前記第１の配線接合領域に、前記第１の出力側端子領域を接合する工程、（ｂ）前記第２の配線接合領域に、前記第２の出力側端子領域を接合する工程、および
（ｃ）前記工程（ａ）および（ｂ）の後に、前記第１のフレキシブル配線基板と、前記第２のフレキシブル配線基板とを接続し、前記第２の配線と前記第１の配線の一部とを電気的に接続する工程。
【請求項２】
請求項１において、
前記第１の出力側端子領域における前記第１の配線の配列方向と、前記第２の出力側端子領域における前記第２の配線の配列方向とは、同じである、電気光学装置の製造方法。
【請求項３】
請求項１または２において、
前記工程（ｃ）において、前記第１のフレキシブル配線基板と、前記第２のフレキシブル配線基板との接続は、異方性導電性シートを利用した方法により行われる、電気光学装置の製造方法。
【請求項４】
請求項１〜３のいずれかにおいて、
前記第１のフレキシブル配線基板に接続される側の、前記第２のフレキシブル配線基板の端部の幅は、前記第２の配線接合領域に接続される側の、前記第２のフレキシブル配線基板の端部の幅より長い、電気光学装置の製造方法。
【請求項５】
請求項１〜４のいずれかにおいて、
前記第１の配線は、信号用配線を含み、
前記第１の配線の一部は、第１の走査線用配線であり、
前記第２の配線は、第２の走査線用配線を含む、電気光学装置の製造方法。
【請求項６】
請求項１〜５のいずれかにおいて、
前記第１の配線接合領域および前記第２の配線接合領域の少なくとも一方に、半導体装置が搭載された、電気光学装置の製造方法。
【請求項７】
請求項６において、
前記半導体装置は、ドライバＩＣである、電気光学装置の製造方法。
【請求項８】
互いに対向する第１の基板と第２の基板とを有する電気光学パネルを含み、該電気光学パネルにフレキシブル配線基板が接続され、
前記第１の基板は、前記第２の基板に対して重ならない第１の配線接合領域を有し、
前記第２の基板は、前記第１の基板に対して重ならない第２の配線接合領域を有し、
前記フレキシブル配線基板は、第１のフレキシブル配線基板と第２のフレキシブル配線基板とを有し、
前記第１のフレキシブル配線基板は、第１の配線と第１の出力側端子領域とを有し、
前記第２のフレキシブル配線基板は、第２の配線と第２の出力側端子領域とを有し、
前記第１の出力側端子領域は、前記第１の配線接合領域に接合され、前記第２の出力側端子領域は、前記第２の配線接合領域に接合され、
前記第１の配線接合領域と接続される側の、前記第１のフレキシブル配線基板の端部の幅は、前記第２の配線接合領域と接続される側の、前記第２のフレキシブル配線基板の端部の幅より長く、
前記第１のフレキシブル配線基板と前記第２のフレキシブル配線基板とが所定位置で接続され、かつ、前記第２の配線が前記第１の配線の一部と電気的に接続された、電気光学装置。
【請求項９】
請求項８において、
前記第１の出力側端子領域における前記第１の配線の配列方向と、前記第２の出力側端子領域における前記第２の配線の配列方向とは、同じである、電気光学装置。
【請求項１０】
請求項８または９において、
前記第１のフレキシブル配線基板に接続される側の、前記第２のフレキシブル配線基板の端部の幅は、前記第２の配線接合領域に接続される側の、前記第２のフレキシブル配線基板の端部の幅より長い、電気光学装置。
【請求項１１】
請求項８〜１０のいずれかにおいて、
前記第１の配線は、信号用配線を含み、
前記第１の配線の一部は、第１の走査線用配線であり、
前記第２の配線は、第２の走査線用配線を含む、電気光学装置。
【請求項１２】
請求項８〜１１のいずれかにおいて、
前記第１の配線接合領域および前記第２の配線接合領域の少なくとも一方に、半導体装置が搭載された、電気光学装置。
【請求項１３】
請求項１２において、
前記半導体装置は、ドライバＩＣである、電気光学装置。
【請求項１４】
請求項８〜１３のいずれかに記載の電気光学装置を含む電子機器。
【発明の詳細な説明】
【０００１】
【発明の属する技術分野】
本発明は、たとえば液晶表示装置、ＥＬ（エレクトロルミネッセンス）表示装置などの電気光学装置およびその電気光学装置の製造方法に関する。また、本発明は、電気光学装置を備える電子機器に関する。
【０００２】
【背景技術】
近年、表示装置は、携帯機器、家庭、オフィス・工場、自動車などの情報表示端末として広く用いられている。特に、液晶表示装置は、薄型、軽量、低電圧、低消費電力などの特徴を有している。たとえば液晶表示装置は、電子ディスプレイの中心的存在であり、低消費電力を生かしてＰＤＡ（個人携帯情報端末）などへの応用が益々盛んになっている。
【０００３】
従来の液晶表示装置としては、図８に示すような、例えばパッシブマトリクス駆動方式の液晶表示装置１がある。この液晶表示装置１は、液晶表示パネル２とプリント基板３とを有する。液晶表示パネル２とプリント基板３とは、第１および第２のフレキシブル配線基板４、５を介して電気的に接続されている。
【０００４】
液晶表示パネル２は、相対向して配置された一対のガラス基板６、７を有している。これらガラス基板６、７の間には、表示領域を周回するように介在された図示しないシール材が配置されている。そして、これらガラス基板６、７とシール材とで形成される間隙には、液晶が封止されている。ガラス基板６の面であってガラス基板７と対向する面（ガラス基板６の対向面）には、複数の信号電極８が平行をなすように形成されている。一方、ガラス基板７の面であってガラス基板６と対向する面（ガラス基板７の対向面）には、信号電極８と直交する方向に沿って複数の走査電極９が形成されている。
【０００５】
液晶表示パネル２の所定の側縁部（図８において下側縁部）においては、ガラス基板６の縁部がガラス基板７の縁部より側方（図中、下側）へ突出するように設定され、この突出部（ガラス基板６がガラス基板７と重ならない領域）が配線接合領域６Ａを構成する。また、液晶表示パネル２の上述した側縁部に隣接する側縁部（図中、左側縁部）においては、他方のガラス基板７の縁部が一方のガラス基板６の縁部より側方（図中、左側）へ突出するように設定され、配線接合領域７Ａを構成する。そして、ガラス基板６側の配線接合領域６Ａには、信号用ドライバＩＣ１０、１１がＣＯＧ（Chip O n Glass）実装されている。これらの信号用ドライバＩＣ１０、１１は、複数の信号電極８が延在された出力端子部８Ａと、配線接合領域６Ａの縁部側に配置された入力端子部１２とに接続されている。また、ガラス基板７の配線接合領域７Ａには、走査用ドライバＩＣ１３がＣＯＧ実装されている。この走査用ドライバＩＣ１３は、複数の走査電極９が延在された出力端子部９Ａと、配線接合領域７Ａの縁部側に配置された入力端子部１４とに接続されている。
【０００６】
そして、第１のフレキシブル配線基板４の出力側端子部分４Ａは、ガラス基板６の配線接合領域６Ａの長辺部に沿って配置された複数の入力端子部１２に対して電気的に接続されるように、異方性導電フィルム（ＡＣＦ：Anisotropic Conductive Film）を介して接合されている。また、同様に、第２のフレキシブル配線基板５の出力側端子部分５Ａは、ガラス基板７の配線接合領域７Ａの長辺部に沿って配置された複数の入力端子部１４に対して電気的に接続されるように、異方性導電フィルムを介して接合されている。そして、第１のフレキシブル配線基板４の入力側端子部分４Ｂは、プリント基板３に形成された出力端子部１５に異方性導電フィルムあるいはコネクタを介して接合されている。また、第２のフレキシブル配線基板５の入力側端子部分５Ｂは、プリント基板３に形成された出力端子部分１６に異方性導電フィルムあるいはコネクタを介して接合されている。なお、プリント基板３には、所定の配線が形成されるとともに、液晶表示パネル２を制御・駆動するための各種の電子部品が搭載されている。
【０００７】
上述した構成の液晶表示装置を用いた電子機器としては、例えばキーボードやテンキーなどの入力部を備え、入力部への入力操作に応じて液晶表示パネルでデータの表示を行なうものがある。このような電子機器においては、液晶表示パネルとプリント基板とがシャーシ（パネル収納枠）に組み込まれている。このとき、プリント基板が液晶表示パネルの後方側に配置されるように、２つのフレキシブル配線基板が曲げ込まれている。
【０００８】
しかし、上述した液晶表示装置１は、たとえば次の問題を有する。
【０００９】
それぞれのフレキシブル配線基板４および５を別々にプリント基板３に接続するため、プリント基板３に配置される出力端子部１５および１６が相互に近接することは望ましくない。すなわち、実装機を用いてフレキシブル配線基板４および５をプリント基板３に接合させる際に、フレキシブル配線基板同士が干渉しないだけの距離を確保する必要がある。このように、複数例えば２枚のフレキシブル配線基板を用いることは、プリント基板３の小型化を阻む要因となっている。
【００１０】
さらに、解決することが望まれる問題として、以下のことがある。
【００１１】
上述した構成の液晶表示装置１では、ガラス基板７の配線接合領域７Ａに、走査用ドライバＩＣ１３を実装するための幅寸法ｘ１と、フレキシブル配線基板５の出力側端子部分５Ａを貼り合わせるための所定の接合代ｘ２と、走査用ドライバＩＣ１３およびフレキシブル配線基板５の出力側端子部分５Ａを離間させる寸法ｘ３とを、確保する必要がある。このため、液晶表示パネル２の幅寸法が短くなるにつれて、液晶表示パネル２の全面に対する表示領域の占める面積比率がより小さくなる。そのため、液晶表示パネルの配線領域を縮小することによって、表示装置を収納するシャーシなどの筐体における表示面積を最大限に拡大することが要望されている。
【００１２】
【発明が解決しようとする課題】
本発明の目的は、フレキシブル配線基板に形成された出力側端子領域を配線接合領域に高い位置精度で簡便に接合でき、さらに、フレキシブル配線基板に接続されるプリント基板を小型化することができる、電気光学装置の製造方法を提供することにある。本発明の他の目的は、その製造方法により得られた電気光学装置およびその電気光学装置を含む電子機器を提供することにある。
【００１３】
【課題を解決するための手段】
本発明の電気光学装置の製造方法は、互いに対向する第１の基板と第２の基板とを有する電気光学パネルにフレキシブル配線基板が接続される工程を含み、
前記第１の基板は、前記第２の基板に対して重ならない第１の配線接合領域を有し、
前記第２の基板は、前記第１の基板に対して重ならない第２の配線接合領域を有し、
前記フレキシブル配線基板は、第１のフレキシブル配線基板と第２のフレキシブル配線基板とを有し、
前記第１のフレキシブル配線基板は、第１の配線と第１の出力側端子領域とを有し、
前記第２のフレキシブル配線基板は、第２の配線と第２の出力側端子領域とを有し、
前記第１の配線接合領域と接続される側の、前記第１のフレキシブル配線基板の端部の幅は、前記第２の配線接合領域と接続される側の、前記第２のフレキシブル配線基板の端部の幅より長い、電気光学装置の製造方法であって、以下の工程（ａ）〜（ｃ）を含む。
（ａ）前記第１の配線接合領域に、前記第１の出力側端子領域を接合する工程、
（ｂ）前記第２の配線接合領域に、前記第２の出力側端子領域を接合する工程、
および
（ｃ）前記工程（ａ）および（ｂ）の後に、前記第１のフレキシブル配線基板と、前記第２のフレキシブル配線基板とを接続し、前記第１の配線と前記第２の配線の一部とを電気的に接続する工程。
【００１４】
ここで、工程（ａ）は、工程（ｂ）の前であってもよいし、後であってもよい。
【００１５】
本発明の液晶表示装置の製造方法は、第１のフレキシブル配線基板と第２のフレキシブル配線基板とが別体の状態で、第１の出力側端子領域と第２の出力側端子領域とをそれぞれ所定領域に接合する。そして、第１のフレキシブル配線基板と第２のフレキシブル配線基板とを接合する。このようにしてフレキシブル配線基板を液晶表示パネルに接合することにより、第１の出力側端子領域と第２の出力側端子領域とを別個独立に位置決めすることができる。つまり、一方の出力側端子領域の位置には影響されずに、他方の出力側端子領域を位置決めすることができる。したがって、出力側端子領域を配線接合領域に高い位置精度で簡便に接合することができる。
【００１６】
以上の電気光学装置の製造方法により得られた電気光学装置は、
互いに対向する第１の基板と第２の基板とを有する電気光学パネルを含み、該電気光学パネルにフレキシブル配線基板が接続され、
前記第１の基板は、前記第２の基板に対して重ならない第１の配線接合領域を有し、
前記第２の基板は、前記第１の基板に対して重ならない第２の配線接合領域を有し、
前記フレキシブル配線基板は、第１のフレキシブル配線基板と第２のフレキシブル配線基板とを有し、
前記第１のフレキシブル配線基板は、第１の配線と第１の出力側端子領域とを有し、
前記第２のフレキシブル配線基板は、第２の配線と第２の出力側端子領域とを有し、
前記第１の出力側端子領域は、前記第１の配線接合領域に接合され、前記第２の出力側端子領域は、前記第２の配線接合領域に接合され、
前記第１の配線接合領域と接続される側の、前記第１のフレキシブル配線基板の端部の幅は、前記第２の配線接合領域と接続される側の、前記第２のフレキシブル配線基板の端部の幅より長く、
前記第１のフレキシブル配線基板と前記第２のフレキシブル配線基板とが所定位置で接続され、かつ、前記第２の配線が前記第１の配線の一部と電気的に接続されている。
【００１７】
この構成によれば、前記第１のフレキシブル配線基板と前記第２のフレキシブル配線基板とが所定位置で接続され、かつ、前記第２の配線が前記第１の配線の一部と電気的に接続されている。このため、前記第１のフレキシブル配線基板と前記第２の配線基板とは一体化されている。したがって、第１のフレキシブル配線基板および第２のフレキシブル配線基板とを別々にプリント基板に接続する必要がない。すなわち、フレキシブル配線基板とプリント基板とを１箇所で接合することができる。その結果、プリント基板の小型化を図ることができる。
【００１８】
前記第１の出力側端子領域における前記第１の配線の配列方向と、前記第２の出力側端子領域における前記第２の配線の配列方向とは、同じであることが好ましい。このような構成によれば、第１の出力側端子領域と第２の出力側端子領域を、同じ側、すなわち同じ方向（Ｘ方向またはＹ方向）側から所定の領域に接合することができる。すなわち、第１の出力側端子領域と第２の出力側端子領域とは、それぞれ、同じ側の第１の配線接合領域の周縁部と第２の配線接合領域の周縁部とに接合される。したがって、このため、接合代および折り代が不要となる。その結果、電気光学パネル全体に対する表示領域の占める面積比率を大きくすることができる。このように、表示領域の面積比率を大きくすることにより、表示視認性を高めることができる。
【００１９】
前記第１の配線および前記第２の配線は、たとえば次のような態様であることが好ましい。
【００２０】
すなわち、前記第１の配線は、信号用配線を含み、前記第１の配線の一部は、第１の走査線用配線であり、前記第２の配線は、第２の走査線用配線を含む。
【００２１】
通常、信号用配線の本数は、走査線用配線の本数と同等かまたはそれ以上である。また、本発明の電気光学装置は、前記第１の配線接合領域と接続される側の、前記第１のフレキシブル配線基板の端部の幅が、前記第２の配線接合領域と接続される側の、前記第２のフレキシブル配線基板の端部の幅より長い。したがって、配線が以上のような構成をとることにより、信号用配線と走査線用配線とが逆に形成されている場合（第２の配線が信号用配線の場合）に比べて、信号用配線を容易に形成することができる。
【００２２】
前記電気光学装置は、前記第１の配線接合領域および前記第２の配線接合領域の少なくとも一方に、半導体装置を搭載することができる。半導体装置の具体例は、たとえば、ドライバＩＣである。
【００２３】
前記第１のフレキシブル配線基板に接続される側の、前記第２のフレキシブル配線基板の端部（以下「第１の端部」という）の幅は、前記第２の配線接合領域に接続される側の、前記第２のフレキシブル配線基板の端部（以下「第２の端部」という）の幅より長いことが好ましい。この構成によれば、第１の端部における配線のパターンを、第２の端部における配線のパターンよりも、配線ピッチを大きく設計することができる。したがって、第１のフレキシブル配線基板と第２のフレキシブル配線基板との接続が容易となる。
【００２４】
前記工程（ｃ）において、前記第１のフレキシブル配線基板と、前記第２のフレキシブル配線基板との接続は、異方性導電性シートを利用した方法により行われることができる。
【００２５】
本発明の電子機器は、本発明の電気光学装置を含む。
【００２６】
【発明の実施の形態】
以下、本発明に係る電気光学装置および電子機器の例を図面を参照しながら説明する。
【００２７】
｛第１の実施の形態｝
［電気光学装置］
図１および図２は、本発明に係る電気光学装置をパッシブマトリクス駆動方式の反射型液晶表示装置に適用した例を示している。図１は、第１の実施の形態に係る液晶表示装置を概略的に示す平面図であり、図２は、図１に示す液晶表示装置の部分を拡大して示す平面図である。
【００２８】
本実施の形態に係る液晶表示装置１００は、図１に示すように、液晶表示パネル（電気光学パネル）２０と、この液晶表示パネル２０を構成する第１の基板２５および第２の基板２６と接続されたフレキシブル配線基板２１と、このフレキシブル配線基板２１に接続されたプリント基板２４とを含む。
【００２９】
（液晶表示パネル）
まず液晶表示パネル２０について説明する。
【００３０】
液晶表示パネル２０は、互いに対向して配置された第１の基板２５および第２の基板２６を有する。これらの第１および第２の基板２５，２６の間には、表示領域を周回するようにシール材（図示せず）が配置されている。そして、これらの第１および第２の基板２５，２６とシール材とで形成される領域には、図示しない液晶層が封入されている。第１および第２の基板２５，２６は、たとえばガラス基板，プラスチック基板などから構成される。
また、第１の基板２５の面であって、第２の基板２６と対向する側の面（以下、これを「第１の基板２５の対向面」という）には、複数の信号電極２７が配置されている。この信号電極２７は、表示光に対して透明性を有する導電材料、例えばＩＴＯ（Indium Tin Oxide）で形成されている。これらの信号電極２７は、所定の方向（図１においてＸ方向）に沿って、互いに所定間隔をおいて平行に配置されている。一方、第２の基板２６の面であって、第１の基板２５と対向する側の面（以下、これを「第２の基板２６の対向面」という）には、複数の走査電極２８が配置されている。これらの走査電極２８は、表示光を反射する導電材料、例えば金属で形成されている。また、これらの走査電極２８は、所定の方向（図１においてＹ方向）に沿って、互いに所定間隔をおいて平行に配置されている。すなわち、第１の基板２５に形成された複数の信号電極２７と、第２の基板２６に形成された複数の走査電極２８とは、互いに液晶層等（図示しない配向膜を含む）を介して直交し、いわゆるＸ−Ｙマトリクスを構成している。
【００３１】
また、液晶表示パネル２０は、その隣接する２辺において、第１の配線接合領域２５Ａと、第２の配線接合領域２６Ａとを有する。第１の配線接合領域２５Ａは、図１の下側において、第１の基板２５の縁部が第２の基板２６の縁部より突出し、第１の基板２５が第２の基板２６に対して重ならない、第１の基板２５の対向面に形成されている。第２の配線接合領域２６Ａは、図１の左側において、第２の基板２６の縁部が第１の基板２５の縁部より突出し、第２の基板２６が第１の基板２５に対して重ならない、第２の基板２６の対向面に形成されている。
【００３２】
そして、第１の基板２５の第１の配線接合領域２５Ａには、信号用ドライバ（Ｘドライバ）ＩＣ２９および３０が実装されている。これらの信号用ドライバＩＣ２９，３０の実装方法は特に制限されないが、例えばＣＯＧ（C hip On Glass）方式によって実装されている。これらの信号用ドライバＩＣ２９，３０は、信号電極２７に連続する端子部２７Ａと、第１の基板２５の第１の配線接合領域２５Ａの長辺側に配置された接合端子部３１とに接続されている。そして、信号用ドライバＩＣ２９，３０は、それぞれ、信号線２７の端子部２７Ａと、接合端子部３１に対して、たとえばフェースダウンによるフリップチップ実装されている。
【００３３】
一方、図２に拡大して示すように、第２の基板２６の第２の配線接合領域２６Ａには、走査用ドライバＩＣ３２が例えばＣＯＧ実装されている。この走査用ドライバＩＣ３２は、複数の走査電極２８の端子部２８Ａと、複数の接合端子部３３とに接続されている。そして、走査用ドライバＩＣ３２は、走査電極２８の端子部２８Ａと、接合端子部３３に対して、例えばフェースダウンによるフリップチップ実装されている。さらに、接合端子部３３は、第２の配線接合領域２６Ａで引き回されて、その入力側端子部３３Ａ（図２参照）がフレキシブル配線基板２１側の端部まで伸びるように配置されている。
【００３４】
このように、本実施の形態においては、第２の配線接合領域２６Ａにおいて、接合端子部３３は、第２の配線接合領域２６Ａの長辺方向に沿って配置されることが好ましい。すなわち、接合端子部３３は、接合端子部３３の入力側端子部３３Ａが走査電極２８と直交する方向、すなわち信号電極２７と平行な方向に伸びるように配置されることが望ましい。接合端子部３３がこのように配置されることにより、第２の配線接合領域２６Ａの短辺側でフレキシブル配線基板２１が接合される。したがって、図８で示した従来例のように、走査用ドライバＩＣ１３とフレキシブル基板５の出力側端子部５Ａとを離間させる寸法ｘ３と、フレキシブル基板５の屈曲に必要な折りしろ分が不要となる。その結果、液晶表示パネル１の全面に対する表示領域の占める面積比率をより大きくすることができる。
【００３５】
（フレキシブル配線基板）
次に、フレキシブル配線基板について説明する。
【００３６】
フレキシブル配線基板２１は、第１のフレキシブル配線基板２２と、第２のフレキシブル配線基板２３と、を有する。第１のフレキシブル配線基板２２と、第２のフレキシブル配線基板２３とは、所定の位置で接合されている。以下、第１のフレキシブル配線基板２２と、第２のフレキシブル配線基板２３とを詳細に説明する。
【００３７】
まず、第１のフレキシブル配線基板２２について説明する。図３は、第１のフレキシブル配線基板２２を模式的に示す平面図である。第１のフレキシブル配線基板２２は、Ｔ字形状の第１のフレキシブル基板２２６の一方の面（図３の表面）に配線が形成されている。そして、第１のフレキシブル配線基板２２は、基板本体２２２と、入力配線部２２４と、を有している。基板本体２２２は、幅寸法（図３において符号Ｌ１で示す）の長い端部を有している。入力配線部２２４は、基板本体２２２の後部から後方（図３の下側）へ突出するようにして形成されている。第１のフレキシブル配線基板２２は、第１のフレキシブル基板２２６から構成されている。第１のフレキシブル基板２２６は、たとえば電気絶縁性樹脂からなる。第１のフレキシブル基板２２６の一方の表面における、基板本体２２２の前方（図３の上側）の端部において、第１の出力側端子領域２２２Ａが形成されている。第１の出力側端子領域２２２Ａが形成された第１のフレキシブル基板の表面における、入力配線部２２４の後方の端部において、入力側端子領域２２４Ａが形成されている。そして、第１の出力側端子領域２２２Ａおよび入力側端子領域２２４Ａが形成された第１のフレキシブル基板の表面において、所定のパターンで、第１の配線が配設されている。第１の配線は、複数の信号用配線２１２（第１の配線接合領域に接続される配線）と、複数の第１の走査線用配線２１４ａ（第２のフレキシブル配線基板に接続される配線）と、必要に応じて配設される他の配線（図示せず）とからなる。
【００３８】
次に、第２のフレキシブル配線基板２３について説明する。図４は、第２のフレキシブル配線基板２３を模式的に示す平面図である。第２のフレキシブル配線基板２３は、Ｌ字形状を有しており、幅寸法（図４において符号Ｌ２で示す）が短い。第２のフレキシブル配線基板２３は、第２のフレキシブル基板２３６の一方の面（図４の裏面）に配線が形成されて構成されている。第２のフレキシブル基板２３６は、たとえば電気絶縁性樹脂からなる。第２のフレキシブル配線基板２３の前方の端部において、第２の出力側端子領域２３２Ａが形成されている。また、第２の出力側端子領域２３２Ａが形成された、第２のフレキシブル基板２３６の表面には、所定のパターンで、第２の配線が配設されている。第２の配線は、複数の第２の走査線用配線２１４ｂ（第２の配線接合領域に接続される配線）と、必要に応じて配設される他の配線（図示せず）とからなる。
【００３９】
次に、第１のフレキシブル配線基板２２と第２のフレキシブル配線基板２３との接合関係を説明する。図１および図２に示すように、第１のフレキシブル配線基板２２と、第２のフレキシブル配線基板２３とは、部分的に重なり合うようにして接合されている。すなわち、第２のフレキシブル配線基板２３の端部が、以下の態様で、第１のフレキシブル配線基板２２の端部、具体的には基板本体２２２の端部と接合されている。より具体的には、第１のフレキシブル配線基板２２の表面であって、第１の走査線用配線２１４ａが形成された側の表面と、第２のフレキシブル配線基板２３の表面であって、第２の走査線用配線２１４ｂが形成された表面とが、接している。そして、第１のフレキシブル基板２２６の表面に形成された第１の走査線用配線２１４ａと、第２のフレキシブル基板２３６の表面に形成された第２の走査線用配線２１４ｂとが、電気的に接続されている。第１の走査線用配線２１４ａと第２の走査線用配線２１４ｂの接続は、それぞれの走査線用配線の方向が同一方向となるように行われることが好ましい。これによって、第１のフレキシブル配線基板２２と第２のフレキシブル配線基板２３との接続が容易となる。
【００４０】
次に、フレキシブル配線基板２１と液晶表示パネル２０との接続関係を説明する。第１のフレキシブル配線基板２２の、第１の出力側端子領域２２２Ａは、第１の基板２５の第１の配線接合領域２５Ａにおいて接合されている。第２のフレキシブル配線基板２３の、第２の出力側端子領域２３２Ａは、第２の基板２６の第２の配線接合領域２６Ａにおいて接合されている。信号用配線２１２は第１の基板２５上に配置された接合端子部３１に接続され、走査線用配線２１４は第２の基板２６上に配置された接合端子部３３に接続される。第２の出力側端子領域２３２Ａは、図１に示すように、第２の配線接合領域２６Ａの短辺側において接合されることが好ましい。すなわち、第２の出力側端子領域２３２Ａの配線の配列方向と、第１の出力側端子領域２２２Ａの配線の配列方向とが同じになることが好ましい。第２の出力側端子領域２３２Ａを第２の配線接合領域の短辺側において接合することにより、少なくとも液晶表示パネル２０の一辺での第２のフレキシブル配線基板２３の接合代および折り代が不要となるので、液晶表示パネル２０全体に対する表示領域の占める面積比率を大きくすることができる。このように表示領域の面積比率を大きくすることにより、表示視認性を高めることができる。
【００４１】
第１のフレキシブル基板２２６または第２のフレキシブル基板２３６の表面には、信号用配線２１２および走査線用配線２１４を保護するために、必要に応じて保護層（図示せず）を形成することができる。この保護層は、たとえばフレキシブルで絶縁性の材質からなる。保護層は、必要に応じて、第１の出力側端子領域２２２Ａおよび第２の出力側端子領域２３２Ａにおいて取り除くことができる。
【００４２】
（プリント基板）
プリント基板２４は、図１に示すように、例えば電源用ＩＣなどの各種の電子部品２４１が実装された配線回路を有する。そして、プリント基板２４は、フレキシブル配線基板２１の入力側端子領域２２４Ａと接合されて、信号用配線２１２および走査線用配線２１４に電気的に接続される接続部２４２を有している。
【００４３】
［接合方法］
次に、フレキシブル配線基板と液晶表示パネルとの接合方法を説明する。この接合方法は、本実施の形態において特徴的な点の一つである。
【００４４】
（Ａ）まず、第１のフレキシブル配線基板２２の第１の出力側端子領域２２２Ａと、第１の基板２５の第１の配線接合領域２５Ａとを、図示しない異方性導電フィルム（ＡＣＦ）を介して接合する。この工程で、第１の出力側端子領域２２２Ａの信号用配線２１２と、第１の配線接合領域２５Ａの接合端子部３１とが電気的に接続される。
【００４５】
（Ｂ）次に、第２のフレキシブル配線基板２３の第２の出力側端子領域２３２Ａと、第２の基板２６の第２の配線接合領域２６Ａとを、図示しない異方性導電性フィルムを介して接合する。
【００４６】
（Ｃ）次に、第１のフレキシブル配線基板２２と第２のフレキシブル配線基板２３とを部分的に接合する。すなわち、第１のフレキシブル配線基板２２の基板本体２２２の端部と、第２のフレキシブル配線基板２３の端部とを接合する。この接合は、第１のフレキシブル配線基板２２の第１の走査線用配線２１４ａと、第２のフレキシブル配線基板２３の第２の走査線用配線２１４ｂとが、接続するように行われる。第１の走査線用配線２１４ａと第２の走査線用配線２１４ｂの接続は、それぞれの走査線用配線の方向が同一方向となるように行われることが好ましい。これによって、第１のフレキシブル配線基板２２と第２のフレキシブル配線基板２３との接続が容易となる。接合方法としては、たとえば異方性導電性フィルムを利用した接合方法を挙げることができる。
【００４７】
（Ｄ）次に、第１のフレキシブル配線基板２２の入力側端子領域２２４Ａと、プリント基板２４の接続部とを、図示しない異方性導電性フィルムを介して接合する。
【００４８】
なお、工程（Ａ）と工程（Ｂ）とは、逆であってもよい。また、工程（Ｃ）と工程（Ｄ）とは、逆であってもよい。
【００４９】
以上のような接合方法によれば、次のような作用効果を奏することができる。
【００５０】
フレキシブル配線基板を液晶表示パネルに接合する際、一体型のフレキシブル配線基板を液晶表示パネルに接合する技術が考えられる。ここで、一体型のフレキシブル配線基板とは、第１の出力側端子領域を有する第１のフレキシブル配線基板と、第２の出力側端子領域を有する第２のフレキシブル配線基板とが一体化されているものをいう。一体型のフレキシブル配線基板は、通常、次のようにして液晶表示パネルに接合される。第１のフレキシブル配線基板に形成された第１の出力側端子領域を所定領域に接合する。第１の出力側端子領域が接合された状態で、第２のフレキシブル配線基板に形成された第２の出力側端子領域を所定領域に接合する。以上の方法によると、第１の出力側端子領域の位置が決まると、第２の出力側端子領域の位置が決まる。第２の出力側端子領域が第２の配線接合領域からずれていた場合において、第１の出力側端子領域が決まった状態で、第２の出力側端子領域を所定領域に位置合わせすることは難しい。これは、フレキシブル配線基板は、かなりフレキシブルであるため、その自由端が移動しやすくハンドリングが難しいからである。
【００５１】
しかし、本実施の形態によれば、次のようにしてフレキシブル配線基板２１を液晶表示パネル２０に接合している。第１のフレキシブル配線基板２２と第２のフレキシブル配線基板２３とが別体の状態で、第１の出力側端子領域２２２Ａと第２の出力側端子領域２３２Ａとをそれぞれ所定領域に接合する。そして、第１のフレキシブル配線基板２２と第２のフレキシブル配線基板２３とを接合する。このようにしてフレキシブル配線基板２１を液晶表示パネル２０に接合することにより、第１の出力側端子領域２２２Ａと第２の出力側端子領域２３２Ａとを別個独立に位置決めすることができる。つまり、第１の出力側端子領域２３２Ａの位置には影響されずに、第２の出力側端子領域２３２Ａを位置決めすることができる。したがって、一体型のフレキシブル配線基板に比べて、第２の出力側端子領域２３２Ａを第２の配線接合領域２６Ａに高い位置精度で簡便に接合することができる。
【００５２】
さらに、フレキシブル配線基板２１の入力配線部２２４は、プリント基板２４に対して１箇所で接合することができるため、フレキシブル配線基板２１とプリント基板２４との接合工程を簡易にすることができる。また、フレキシブル配線基板２１とプリント基板２４とを１箇所で接合することから、プリント基板２４の小型化を図ることができる。
【００５３】
｛第２の実施の形態｝
液晶表示パネル２０は、上記の第１の実施の形態で示したものに限定されず、たとえば次のような変形が可能である。
【００５４】
図５に液晶表示パネルの変形例を示す。図５において、図１と実質的に同一の機能を有する部分には同一の符号を付して、その詳細な説明を省略する。
【００５５】
図１に示す液晶表示パネル２０では、本発明のフレキシブル配線基板をパッシブマトリクス駆動方式の液晶表示パネルに適用した例を示したが、本発明のフレキシブル配線基板は、画素電極のスイッチング素子としてＴＦＤ（Thin  Film  Diode）素子を用いたアクティブマトリクス駆動方式の液晶表示パネルにも適用できる。
【００５６】
第１の配線接合領域２５Ａおよび第２の配線接合領域２６Ａの構造は、図１の液晶表示パネルと同様であるので、シール材内部の構造について図５に示す。
【００５７】
液晶表示パネル２０は、互いに対向して配置された第１の基板２５および第２の基板２６を有する。これらの第１および第２の基板２５および２６の間には、表示領域を周回するようにシール材（図示せず）が配置されている。そして、これらの第１および第２の基板２５，２６とシール材とで形成される領域には、図示しない液晶層が封入されている。第１および第２の基板２５，２６は、たとえばガラス基板，プラスチック基板などから構成される。
【００５８】
また、第１の基板２５の面であって、第２の基板２６と対向する側の面には、マトリクス状に配置された複数の画素電極１０３４と、Ｘ方向に延在する信号電極２７と、が配置されるとともに、１列分の画素電極１０３４の各々が１本の信号電極２７にそれぞれＴＦＤ素子１０２０を介して共通接続されている。画素電極１０３４は、表示光に対して透明性を有する導電材料、たとえばＩＴＯ（Indium Tim Oxide）で形成されている。ＴＦＤ素子１０２０は、基板２５側からみると、第１の金属膜１０２２と、この第１の金属膜１０２２を陽極酸化した酸化膜１０２４と、第２金属膜１０２６とから構成されて、金属／絶縁体／金属のサンドイッチ構造を採る。このため、ＴＦＤ素子１０２０は、正負双方向のダイオードスイッチング特性を有することになる。
【００５９】
一方、第２の基板２６の面であって、第１の基板２５と対向する側の面には、複数の走査電極２８が配置されている。これらの走査電極２８は、信号電極２７とは直交する所定の方向（図５においてＹ方向）に沿って、互いに所定間隔をおいて平行に配置され、かつ画素電極１０３４の対向電極となるように配列している。カラーフィルタは、図５においては図示を省略しているが、走査電極２８と画素電極１０３４とが互いに交差する領域に対応して設けられている。
【００６０】
また、本実施の形態に係る液晶表示パネル２０は、第１の実施の形態に係る液晶表示パネルと同様に、その隣接する２辺において、第１の配線接合領域２５Ａと、第２の配線接合領域２６Ａとを有する。また、本実施の形態に係る液晶表示パネル２０は、本発明のフレキシブル配線基板、たとえば第１の実施の形態で示したフレキシブル配線基板を接続することができる。
【００６１】
｛第３の実施の形態｝
（電子機器）
以下に、本発明に係る電気光学装置として液晶表示装置を用いた電子機器の例を示す。
【００６２】
（１）ディジタルスチルカメラ
本発明に係る液晶表示装置をファインダに用いたディジタルスチルカメラについて説明する。図６は、このディジタルスチルカメラの構成を示す斜視図であり、さらに外部機器との接続についても簡易的に示すものである。
【００６３】
通常のカメラは、被写体の光像によってフィルムを感光するのに対し、ディジタルスチルカメラ１２００は、被写体の光像をＣＣＤ（Charge Coupled Devic e）などの撮像素子により光電変換して撮像信号を生成するものである。ここで、ディジタルスチルカメラ１２００におけるケース１２０２の背面（図６においては前面側）には、液晶表示装置１０００の液晶表示パネルが設けられ、ＣＣＤによる撮像信号に基づいて、表示を行う構成となっている。このため、液晶表示装置１０００は、被写体を表示するファインダとして機能する。また、ケース１２０２の前面側（図６においては裏面側）には、光学レンズやＣＣＤなどを含んだ受光ユニット１２０４が設けられている。
【００６４】
ここで、撮影者が液晶表示装置１０００に表示された被写体像を確認して、シャッタボタン１２０６を押下すると、その時点におけるＣＣＤの撮像信号が、回路基板１２０８のメモリに転送・格納される。また、このディジタルスチルカメラ１２００にあっては、ケース１２０２の側面に、ビデオ信号出力端子１２１２と、データ通信用の入出力端子１２１４とが設けられている。そして、図６に示されるように必要に応じて、前者のビデオ信号出力端子１２１２にはテレビモニタ１３００が接続され、また、後者のデータ通信用の入出力端子１２１４にはパーソナルコンピュータ１４００が接続される。さらに、所定の操作によって、回路基板１２０８のメモリに格納された撮像信号が、テレビモニタ１３００や、パーソナルコンピュータ１４００に出力される構成となっている。
【００６５】
（２）携帯電話、その他の電子機器
図７（Ａ）、（Ｂ）、および（Ｃ）は、本発明に係る電気光学装置として液晶表示装置を用いた、他の電子機器の例を示す外観図である。図７（Ａ）は、携帯電話機３０００であり、その前面上方に液晶表示装置１０００を備えている。図７（Ｂ）は、腕時計４０００であり、本体の前面中央に液晶表示装置１０００を用いた表示部が設けられている。図７（Ｃ）は、携帯情報機器５０００であり、液晶表示装置１０００からなる表示部と入力部５１００とを備えている。
【００６６】
これらの電子機器は、液晶表示装置１０００の他に、図示しないが、表示情報出力源、表示情報処理回路、クロック発生回路などの様々な回路や、それらの回路に電力を供給する電源回路などからなる表示信号生成部を含んで構成される。表示部には、例えば携帯情報機器５０００の場合にあっては入力部５１００から入力された情報等に基づき表示信号生成部によって生成された表示信号が供給されることによって表示画像が形成される。
【００６７】
本発明に係る液晶表示装置が組み込まれる電子機器としては、ディジタルスチルカメラ、携帯電話機、腕時計、および携帯情報機器に限らず、電子手帳、ページャ、ＰＯＳ端末、ＩＣカード、ミニディスクプレーヤ、液晶プロジェクタ、マルチメディア対応のパーソナルコンピュータ（ＰＣ）およびエンジニアリング・ワークステーション（ＥＷＳ）、ノート型パーソナルコンピュータ、ワードプロセッサ、テレビ、ビューファインダ型またはモニタ直視型のビデオテープレコーダ、電子手帳、電子卓上計算機、カーナビゲーション装置、タッチパネルを備えた装置、時計など様々な電子機器が考えられる。
【００６８】
なお、液晶表示パネルは、駆動方式で言えば、パネル自体にスイッチング素子を用いない単純マトリックス液晶表示パネルやスタティック駆動液晶表示パネル、またＴＦＴ（薄膜トランジスタ）で代表される三端子スイッチング素子あるいはＴＦＤ（薄膜ダイオード）で代表される二端子スイッチング素子を用いたアクティブマトリックス液晶表示パネル、電気光学特性で言えば、ＴＮ型、ＳＴＮ型、ゲストホスト型、相転移型、強誘電型など、種々のタイプの液晶表示パネルを用いることができる。
【００６９】
｛変形例｝
以上、本発明の実施の形態について説明したが、本発明に係るフレキシブル配線基板、電気光学装置およびその製造方法、並びに電子機器は、上述した構成に限定されるものではなく、本発明の要旨の範囲内で各種の変更が可能である。
【００７０】
液晶表示パネルは、駆動方式で言えば、パネル自体にスイッチング素子を用いない単純マトリックス液晶表示パネルやスタティック駆動液晶表示パネル、またＴＦＴで代表される三端子スイッチング素子あるいはＴＦＤ（Thin Film Diode）で代表される二端子スイッチング素子を用いたアクティブマトリックス液晶表示パネル、電気光学特性で言えば、ＴＮ型、ＳＴＮ型、ゲストホスト型、相転移型、強誘電型など、種々のタイプの液晶表示パネルを用いることができる。
【００７１】
また、上述の実施の形態では、フレキシブル配線基板を、液晶表示パネルと回路基板との接続に用いる例を示したが、他の種類の表示パネル例えば表示プラズマパネルと回路基板との接続においても使用できることは言うまでもない。さらに、上述した実施の形態では、信号電極２７を表示光に対して透明性を有する材料で形成し、これを形成した第１の基板２５を前面基板に設定したが、前面基板側に透明性を有する走査電極を形成する構成としてもよい。
【００７２】
また、上述した実施の形態においては、フレキシブル配線基板２１に形成される信号用配線２１２や走査線用配線２１４の配線は、液晶表示パネル２０の接合部の配置構成により適宜変更が可能である。
【００７３】
さらに、上述した実施の形態においては、第１および第２の基板２５，２６の配線接合領域２５Ａ，２６Ａに信号用ドライバＩＣ２９，３０，３２をＣＯＧ実装したが、ドライバＩＣは基板上に形成されなくともよい。例えば、配線接合領域に信号電極あるいは走査電極の端子部を配置し、これらの端子部とフレキシブルプリント配線基板の端子領域との間に、ドライバＩＣを実装したテープキャリアパッケージを介在させる構成としてもよい。
【００７４】
また、上述した実施の形態では、液晶表示パネルと駆動回路等を搭載した回路基板とによって液晶表示装置が構成される例を示したが、液晶表示パネルを構成する透明基板に駆動回路等も搭載される場合には、回路基板、フレキシブル配線基板には他の回路が形成されることになる。
【００７５】
さらに、上述の実施の形態では、電気光学表示手段としてＬＣＤディスプレイを使用した場合について説明したが、本発明ではこれに限定されず、例えば薄型のブラウン管、あるいは液晶シャッター等を用いた小型テレビ、エレクトロルミネッセンス、プラズマディスプレイ、ＣＲＴディスプレイ、ＦＥＤ（Field Emission Display）パネル等の種々の電気光学手段を使用することができる。
【００７６】
第１の実施の形態において、第１のフレキシブル配線基板の形状は、Ｔ字状であり、第２のフレキシブル配線基板の形状は、Ｌ字状である。しかし、第１および第２のフレキシブル配線基板の形状は、第１のフレキシブル配線基板に接続できる形態であれば、特に限定されない。たとえば次の変更が可能である。第１のフレキシブル配線基板の基板本体がＬ字形状、すなわち前方（図２において上側）に突出した部分を有し、そして、第２のフレキシブル配線基板が方形であってもよい。
【００７７】
また、第１の実施の形態において、第２の出力側端子領域は、第２の配線接合領域の短辺側において接合されている。しかし、第２の出力側端子領域は、第２の配線接合領域の長辺側において接合されていてもよい。
【図面の簡単な説明】
【図１】第１の実施の形態に係る電気光学装置を適用した液晶表示装置を模式的に示す平面図である。
【図２】図１に示す液晶表示装置の一部分を拡大して示す平面図である。
【図３】第１の実施の形態に係る第１のフレキシブル配線基板を模式的に示す平面図である。
【図４】第１の実施の形態に係る第２のフレキシブル配線基板を模式的に示す平面図である。
【図５】液晶表示パネルの変形例について、その一部を模式的に示す部分破断斜視図である。
【図６】本発明に係る液晶表示装置を適用した電子機器（ディジタルスチルカメラ）を示す外観図である。
【図７】本発明に係る液晶表示装置を用いた電子機器を示す外観図であり、（Ａ）は携帯電話であり、（Ｂ）は腕時計であり、（Ｃ）は携帯情報機器である。
【図８】従来の液晶表示装置の例を模式的に示す平面図である。
【符号の説明】
１００    液晶表示装置
２０      液晶表示パネル
２１      フレキシブル配線基板
２１２    信号用配線
２１４    走査線用配線
２１４ａ  第１の走査線用配線
２１４ｂ  第２の走査線用配線
２２      第１のフレキシブル配線基板
２２２    基板本体
２２２Ａ  第１の出力側端子領域
２２４    入力配線部
２２４Ａ  入力側端子領域
２２６    第１のフレキシブル基板
２３      第２のフレキシブル配線基板
２３２Ａ  第２の出力側端子領域
２３６    第２のフレキシブル基板
２４      プリント基板
２５，２６  基板
２５Ａ    第１の配線接合領域
２６Ａ    第２の配線接合領域
２７      信号電極
２８      走査電極
２９，３０  信号用ドライバＩＣ
３１      接合端子部
３２      走査用ドライバＩＣ
３３      接合端子部
１０２０  ＴＦＤ素子
１０２２  第１金属膜
１０２４  陽極酸化膜
１０２６  第２金属膜
１０３４  画素電極
【図１】
0003760973.tif 000002
【図２】
0003760973.tif 000003
【図３】
0003760973.tif 000004
【図４】
0003760973.tif 000005
【図５】
0003760973.tif 000006
【図６】
0003760973.tif 000007
【図７】
0003760973.tif 000008
【図８】
0003760973.tif 000009